(57)【要約】【課題】簡単な構成で、輝度ムラの少ない照明光を得ることができる照明装置を提供する。【解決手段】ＬＥＤ基板２６をスイッチ本体２１に固設することにより、各ＬＥＤ２７をスイッチ本体２１の上方から突出させた状態で、光源ユニット２５をスイッチ機構２０に保持し、各ＬＥＤ２７の光軸Ｏを反射面３ａに指向させる。これにより、アウターレンズ１５を正対視した際に各ＬＥＤ２７を視認不能な状態とする。すなわち、アウターレンズ１５の周辺に配設されるスイッチ機構２０（及び、枠体１１）により隠されて視認不能となる位置に各ＬＥＤ２７を配設する。【選択図】図１
2009067098.tif 000002
【特許請求の範囲】
【請求項１】
外面側が発光面を構成するアウターレンズと、
前記アウターレンズの内面に反射面が対向する反射部材と、
発光素子を実装した光源ユニットと、
前記発光素子から出射して前記反射面で反射した光を前記アウターレンズに導く空気層と、を備え、
前記光源ユニットは、前記アウターレンズを正対視した際に、前記発光素子が前記アウターレンズ周辺の構造物に隠れる位置に配設されていることを特徴とする照明装置。
【請求項２】
前記発光素子の光軸は、前記反射面に指向するよう設定されていることを特徴とする請求項１記載の照明装置。
【請求項３】
前記アウターレンズと隣接して配設されるスイッチ機構を有し、
前記光源ユニットは、前記スイッチ機構に隠れる位置で当該スイッチ機構に保持されていることを特徴とする請求項１または請求項２に記載の照明装置。
【請求項４】
前記光源ユニットは、前記発光素子を実装する熱伝導性の高い素子基板を有し、
前記素子基板は、前記スイッチ機構に沿って折曲形成されていることを特徴とする請求項３記載の照明装置。
【請求項５】
前記光源ユニットは、発光色の異なる複数の前記発光素子を有することを特徴とする請求項１乃至請求項４の何れか１項に記載の照明装置。
【請求項６】
前記反射面は、前記発光素子から離間するほど、前記アウターレンズとの間隔が狭くなるよう設定されていることを特徴とする請求項１乃至請求項５の何れか１項に記載の照明装置。
【発明の詳細な説明】
【技術分野】
【０００１】
本発明は、発光ダイオード等の発光素子を光源として用いた照明装置に関する。
【背景技術】
【０００２】
従来より、乗用車等の車両の室内天井には、ルームランプやマップランプ等の車両用室内灯（照明装置）が取り付けられている。この種の照明装置は、一般に、管球バルブ等の光源からの光を直接的或いは間接的にアウターレンズへと導き、当該アウターレンズの外面側を面状に発光させることで、所望の照明光を得る。
【０００３】
ところで、管球バルブ等に比べ、発光ダイオード（ＬＥＤ）は、消費電力が小さく長寿命であるという利点を有する。そこで、近年では、ＬＥＤの高出力化に伴い、特に、比較的小型な各種照明装置の光源としてＬＥＤ等の発光素子を適用することが期待されている。ＬＥＤを光源とする照明装置として、例えば、特許文献１には、複数のＬＥＤを実装したＬＥＤをランプカバー（アウターレンズ）に対向配置した技術が開示されている。
【特許文献１】実用新案登録第３１２９８４７号公報
【発明の開示】
【発明が解決しようとする課題】
【０００４】
しかしながら、ＬＥＤ等の発光素子は、管球バルブ等の光源に比べて発光部の小さい点光源であるため、上述の特許文献１に開示された技術のように、ＬＥＤをアウターレンズに直接的に対向配置すると、アウターレンズの発光面上においてＬＥＤに対応する領域の輝度が局所的に高くなる等（所謂、グレアが発生する等）、照明装置としてのデザイン性が損なわれる等の虞がある。
【０００５】
これに対処し、ＬＥＤからの出射光を分散すべく、ＬＥＤとアウターレンズとの間に導光板等を介在させると、構造の複雑化や重量の増加等を招く虞がある。
【０００６】
本発明は、簡単な構成で、輝度ムラの少ない照明光を得ることができる照明装置を提供することを目的とする。
【課題を解決するための手段】
【０００７】
本発明は、枠体に保持され、外面側が発光面を構成するアウターレンズと、前記アウターレンズの内面に反射面が対向する反射部材と、発光素子を実装した光源ユニットと、前記発光素子から出射して前記反射面で反射した光を前記アウターレンズに導く空気層と、を備え、前記光源ユニットは、前記アウターレンズを正対視した際に、前記発光素子が前記枠体に隠れる位置に配設されていることを特徴とする。
【発明の効果】
【０００８】
本発明の照明装置によれば、簡単な構成で、輝度ムラの少ない照明光を得ることができる。
【発明を実施するための最良の形態】
【０００９】
以下、図面を参照して本発明の形態を説明する。図面は本発明の一実施形態に係わり、図１はルームランプの要部を示す分解斜視図、図２はルームランプの平面図、図３は図２のＡ−Ａ線に沿う要部断面図、図４乃至図７はルームランプの各変形例を図１のＡ−Ａ線に沿って示す要部断面図、図８は図７のスイッチ機構と光源ユニットとの関係を示す分解斜視図、図９はルームランプの変形例を図１のＢ−Ｂ線に沿って示す要部断面図、図１０（ａ）はアウターレンズの変形例を示す拡大断面図であり（ｂ），（ｃ）はアウターレンズの内面側を拡大して示す平面図である。
【００１０】
図１〜図３において符号１は、車両の室内天井に取り付けられるルームランプであり、このルームランプ１は、下面が開口した扁平な略箱形状の筐体２を有する。この筐体２は、例えば、平面視略矩形形状をなす背面板３と、当該背面板３の各辺から下方に突設する側壁４とが射出成型によって一体形成された樹脂成型品で構成されている。
【００１１】
より具体的には、筐体２は、例えば、高反射ポリカーボネイド等の高反射性樹脂材料で成型されている。これにより、背面板３は反射部材として機能し、背面板３の内面（下面）は反射面３ａとして設定されている。なお、筐体２は、高反射性樹脂材料に代えて、アルミニウム等の金属材を用いた成型品であってもよい。また、筐体２を高反射性樹脂材料以外の樹脂材料で成型し、背面板３の内面に高反射率のシートを貼付してもよい。さらに、高反射率のシートに代えて、背面板３の内面に、例えば、白色または乳白色の塗装、または蒸着等を施してもよい。
【００１２】
ここで、図３に示すように、本実施形態において、背面板３は、その短手方向の一側から他側にかけて、反射面３ａの位置を下方に緩やかに変化させるよう、湾曲されている。また、反射光を効率よく散乱させるため、反射面３ａには、微細な凹凸加工が施されている。
【００１３】
また、筐体２を構成する各側壁４の下端部には、筐体２の開口部を閉塞するアウタカバー１０と嵌合するための段部４ａが形成されている。
【００１４】
アウタカバー１０は、段部４ａに嵌合する枠体１１と、枠体１１に嵌合するアウターレンズ１５と、を有して要部が構成されている。
【００１５】
枠体１１は、例えば、遮光性を有する樹脂成型品で構成されている。この枠体１１は、アウターレンズ嵌合部１２を画成する４辺の枠部のうち、短手方向の一側寄りに位置する枠部１１ａが他の枠部よりも幅広に形成されており、これにより、枠体１１は、ルームランプ１の中心に対し、短手方向の他側寄りに偏倚した位置にアウターレンズ１５を保持する。また、幅広に形成された枠部１１ａには、後述するスイッチ機構２０のスイッチ操作部２３を挿通するための長孔１３が、アウターレンズ嵌合部１２に沿って開口されている。
【００１６】
アウターレンズ１５は、例えば、透光性を有する樹脂成型品で構成されている。このアウターレンズ１５は下方に緩やかに突な球面形状をなし、当該アウターレンズ１５の外面（下面）側は発光面１５ａとして設定されている。
【００１７】
一方、筐体２内において、アウターレンズ１５の内面側は反射面３ａに対向され、これらアウターレンズ１５と反射面３ａとの間には、空気層１８が形成されている。ここで、アウターレンズ１５に光の拡散機能を持たせるため、アウターレンズ１５の裏面には、例えば、微細な凹凸を有する拡散シート１６が貼着されている（図３参照）。
【００１８】
スイッチ機構２０は、例えば、略角筒形状をなすスイッチ本体２１を有する。このスイッチ本体２１の下面には、長孔２２が開口されており、この長孔２２からは、スイッチ操作部２３が突設されている。本実施形態において、長孔２２上には、ルームランプ１を常時点灯させるための「ＯＮ」ポジションＰ１と、車両のドアの開閉状態に応じてルームランプ１を点灯させるための「ＤＯＯＲ」ポジションＰ２と、ルームランプ１を常時消灯させるための「ＯＦＦ」ポジションＰ３とが設定されており、スイッチ操作部２３は、これらのポジションＰ１〜Ｐ３の何れかを選択可能なスライド式の操作部で構成されている。
【００１９】
このスイッチ機構２０は、長孔１３，２２が互いに位置決めされた状態で、スイッチ本体２１の下面が枠部１１ａに対して内面側から固設されることにより、アウタカバー１０に保持される。その際、スイッチ操作部２３は、長孔１３に挿通されることにより、アウタカバー１０の外部に露呈される。
【００２０】
また、アウタカバー１０に保持された際に、スイッチ機構２０は、スイッチ本体２１が筐体２内で短手方向一側の側壁４と所定間隔離間して対向する位置に位置決めされる。そして、スイッチ本体２１は、側壁４との間に形成された空隙に、光源ユニット２５を保持する。
【００２１】
光源ユニット２５は、例えば、平面略矩形形状をなす素子基板としてのＬＥＤ基板２６を有する。このＬＥＤ基板２６の一方の面上には、発光素子としての発光ダイオード（ＬＥＤ）２７を実装するための光源実装領域２６ａと、スイッチ機構２０と電気的に接続するための端子領域２６ｂとが設定されている。ここで、ＬＥＤ基板２６は、例えば、アルミニウム等の熱伝導性の高い材料で構成されていることが好ましい。
【００２２】
光源実装領域２６ａには、複数（例えば、３個）のＬＥＤ２７が半田付け等によって実装されている。本実施形態において、各ＬＥＤ２７は、例えば、青色の発光部を有する素子の表面に黄色の蛍光体（例えば、ＹＡＧ蛍光体）を塗布することで白色光を得る面実装型の白色ＬＥＤで構成されている。また、各ＬＥＤ２７の出射面上には片凸レンズ２７ａが固設されており、この片凸レンズ２７ａの作用により、各ＬＥＤ２７からの出射光は、例えば、拡散角が０°軸（光軸Ｏ）に対して１５°〜２０°程度の狭角となる比較的指向性の高い光束に調光されるようになっている。
【００２３】
一方、端子領域２６ｂには、図示しない配線等を介して各ＬＥＤ２７と電気的に接続する複数の端子２８が設けられている。この端子領域２６ｂは、筐体２の短手方向の一側の側壁４と対向するスイッチ本体２１上の面に固設されるようになっており、これにより、各端子２８はスイッチ機構２０に対し、バスバー等を介在させることなく、直に電気接続されている。
【００２４】
また、端子領域２６ｂがスイッチ本体２１に固設されることにより、光源ユニット２５は、各ＬＥＤ２７がスイッチ本体２１の上方から突出した状態で、スイッチ機構２０に保持され、各ＬＥＤ２７の光軸Ｏが反射面３ａに指向される。すなわち、各ＬＥＤ２７の光軸Ｏは、筐体２内の短手方向の一側から他側に向けて略水平方向に設定され、筐体２内を下方に湾曲する反射面３ａに指向される。
【００２５】
また、筐体２内において、各ＬＥＤ２７は、スイッチ本体２１の上方に配設されることにより、アウターレンズ１５を正対視した際に視認不能な状態となる。すなわち、各ＬＥＤ２７は、アウターレンズ１５の周辺に配設されるスイッチ機構２０（及び、枠体１１）により隠されて視認不能となる位置に配設されている。
【００２６】
このような構成において、スイッチ操作部２３が「ＯＮ」ポジションＰ１或いは「ＤＯＯＲ」ポジションＰ２に操作され、スイッチ機構２０から光源ユニット２５への給電が行われて各ＬＥＤ２７が点灯されると、図３に示すように、各ＬＥＤ２７からの出射光は、そのほとんどが、反射面３ａで反射された後、空気層１８を経てアウターレンズ１５へと導かれる。すなわち、本実施形態において、ＬＥＤ２７の出射面に固設された片凸レンズ２７ａの作用によって出射光の拡散角が狭角に設定されており、しかも、ＬＥＤ２７の下方にはスイッチ本体２１及び枠部１１ａが配設されているため、ＬＥＤ２７からの出射光のほとんどは、アウターレンズ１５に対して、直接的に入射されることなく、反射面３ａでの反射を経て間接的に入射される。
【００２７】
そして、反射面３ａの近傍において各ＬＥＤ２７がスイッチ本体２１及び枠部１１ａに隠れた位置から発光し、その出射光が反射面３ａによる反射を経て間接的にアウターレンズ１５に入射することにより、発光面１５ａ上の一部の輝度が局所的に高くなる等の不具合を、簡単な構成により的確に防止することができる。すなわち、スイッチ機構２０（及び、当該スイッチ機構２０が配設されることにより幅広に形成される枠部１１ａ）を有効利用し、アウターレンズ１５を通じた筐体２内の視界からＬＥＤ２７を隠すことにより、簡単な構成で、発光面１５ａ上におけるグレア等の発生を的確に抑制することができる。
【００２８】
この場合において、各ＬＥＤ２７からの出射光を、反射面３ａに形成された微細な凹凸やアウターレンズ１５に貼着された拡散シート１６で拡散させることにより、発光面１５ａをより均一な照度で発光させることができる。
【００２９】
また、反射面３ａを湾曲形成し、各ＬＥＤ２７から離間するほど反射面３ａとアウターレンズ１５との間隔が狭くなるよう設定することにより、光源ユニット２５に対して遠方に位置する領域においても反射光を効率よくアウターレンズ１５に入射させることができ、発光面１５ａをより均一な照度で発光させることができる。
【００３０】
また、ＬＥＤ基板２６を熱伝導性の高い材料で構成することにより、光源ユニット２５の放熱特性を向上させて、各ＬＥＤ２７の発光効率を高いレベルで維持することができる。
【００３１】
ここで、例えば、図４に示すように、ルームランプ１において、反射面３ａを形成する反射部材５を筐体２とは別の部材で構成することも可能である。このように構成すれば、筐体２を大幅に変更することなく、光源ユニット２５の仕様等に応じて、反射面３ａの形状等を容易に変更することができる。
【００３２】
また、例えば、図５に示すように、ルームランプ１において、スイッチ本体２１の上面に光源ユニット２５を固設することも可能である。この場合、各ＬＥＤ２７の光軸Ｏは上方に指向するが、各ＬＥＤ２７と対向する領域に別途の反射部材６を設けることにより、反射面３ａに対し、光軸Ｏを間接的に指向させることが可能となる。なお、図示しないが、このような構成では、光源実装領域とは異なるＬＥＤ基板２６上の面に端子領域が設定される。このように構成すれば、アウターレンズ１５を通じた筐体２内の視界に対し、より視認不能な位置に各ＬＥＤ２７を配置することができる。
【００３３】
また、例えば、図６に示すように、スイッチ本体２１の上部に傾斜面を形成し、この傾斜面上に光源ユニット２５を固設することも可能である。このように構成すれば、傾斜面の角度に応じて各ＬＥＤ２７の光軸Ｏを任意の角度で反射面３ａに指向させることができ、配向特性のチューニング等を容易に実現することができる。
【００３４】
また、例えば、図７，８に示すように、ルームランプ１において、ＬＥＤ基板２６を熱伝導性の高いアルミニウム等の金属材で構成し、スイッチ機構２０のスイッチ本体２１に沿って多段に折曲形成することも可能である。このように構成すれば、筐体２内におけるＬＥＤ基板２６の設置スペースを過剰に拡大することなく、ＬＥＤ基板２６による放熱機能を格段に向上させることができる。
【００３５】
また、例えば、図１０（ａ）に示すように、ルームランプ１において、アウターレンズ１５に拡散シート１６等を貼着する構成に代えて、例えば、拡散材料１５ｂを含有する透明樹脂材料とによってアウターレンズ１５を成型してもよい。また、例えば、図１０（ｂ），（ｃ）に示すように、アウターレンズ１５の内面に、角柱形状のパターン１９ａや円柱形状のパターン１９ｂ等を形成することも可能である。
【００３６】
ここで、上述の実施形態においては、筐体２の短手方向の一側部に光源ユニットを配設する場合の各構成について説明したが、例えば、図１０に示すように、スイッチ機構２０が配設されていない筐体２の長手方向の側部に光源ユニット３０を配設することも可能である。この場合、光源ユニット３０の配置に応じた所定形状の反射面３１ａを有する反射部材３１を筐体２内に配設すれば、発光面１５ａを高い均斉度で発光させることができる。
【００３７】
ところで、上述の実施形態においては、発光色が同一な複数のＬＥＤ２７を用いて光源ユニットを構成した一例について説明したが、本発明はこれに限定されるものではなく、例えば、発光色の異なる複数種類のＬＥＤ（例えば、Ｒ、Ｇ、Ｂの各発光色で発光するＬＥＤ）を混在させて光源ユニットを構成することも可能である。このように構成すれば、発光面１５ａ上における発光色を任意に設定することができ、演色性を向上することができる。
【００３８】
なお、本発明の適用はルームランプに限定されるものではなく、各種照明装置に適用することが可能である。
【図面の簡単な説明】
【００３９】
【図１】ルームランプの要部を示す分解斜視図
【図２】ルームランプの平面図
【図３】図２のＡ−Ａ線に沿う要部断面図
【図４】ルームランプの変形例を図１のＡ−Ａ線に沿って示す要部断面図
【図５】ルームランプの変形例を図１のＡ−Ａ線に沿って示す要部断面図
【図６】ルームランプの変形例を図１のＡ−Ａ線に沿って示す要部断面図
【図７】ルームランプの変形例を図１のＡ−Ａ線に沿って示す要部断面図
【図８】図７のスイッチ機構と光源ユニットとの関係を示す分解斜視図
【図９】ルームランプの変形例を図１のＢ−Ｂ線に沿って示す要部断面図
【図１０】（ａ）はアウターレンズの変形例を示す拡大断面図であり（ｂ），（ｃ）はアウターレンズの内面側を拡大して示す平面図
【符号の説明】
【００４０】
１…ルームランプ、２…筐体、３…背面板（反射部材）、３ａ…反射面、４…側壁、４ａ…段部、５…反射部材、６…反射部材、１０…アウタカバー、１１…枠体、１１ａ…枠部（構造物）１２…アウターレンズ嵌合部、１３…長孔、１５…アウターレンズ、１５ａ…発光面、１５ｂ…拡散材料、１６…拡散シート、１８…空気層、１９ａ…パターン、１９ｂ…パターン、２０…スイッチ機構（構造物）、２１…スイッチ本体、２２…長孔、２３…スイッチ操作部、２５…光源ユニット、２６…ＬＥＤ基板、２６ａ…光源実装領域、２６ｂ…端子領域、２７…発光ダイオード（発光素子）、２７ａ…片凸レンズ、２８…端子、３０…光源ユニット、３１…反射部材、３１ａ…反射面、Ｏ…光軸
【図１】
2009067098.tif 000003
【図２】
2009067098.tif 000004
【図３】
2009067098.tif 000005
【図４】
2009067098.tif 000006
【図５】
2009067098.tif 000007
【図６】
2009067098.tif 000008
【図７】
2009067098.tif 000009
【図８】
2009067098.tif 000010
【図９】
2009067098.tif 000011
【図１０】
2009067098.tif 000012